(57)【要約】【課題】  ＦＤＤ方式でＰ２Ｐにより通信を行う無線通信装置の回路規模を小さくする。【解決手段】  第１の周波数帯域に対応する第１の局部発振信号を出力する第１の局部発振手段と、第２の周波数帯域に対応する第２の局部発振信号を出力する第２の局部発振手段とを備える。局部発振接続手段により、第１の局部発振手段または第２の局部発振手段を送信手段に含まれる高周波送信ミキサに接続し、高周波送信ミキサに接続しない方の局部発振手段を受信手段に含まれる高周波受信ミキサに接続する。送信手段は、高周波送信ミキサがアップコンバートした送信高周波信号の上側波帯または下側波帯を選択的にアンテナに出力する。受信手段は、アンテナから受信した受信高周波信号を高周波受信ミキサでダウンコンバートして送信手段が選択していない側の上側波帯または下側波帯を選択的に出力する。【選択図】      図１
2013165335.tif 000002
【特許請求の範囲】
【請求項１】
周波数分割複信方式でポイント・ツー・ポイントにより全二重通信を行う無線通信装置であって、
第１の周波数帯域に対応する第１の局部発振信号を出力する第１の局部発振手段と、
第２の周波数帯域に対応する第２の局部発振信号を出力する第２の局部発振手段と、
前記第１の局部発振手段または前記第２の局部発振手段を送信手段に含まれる高周波送信ミキサに接続し、前記高周波送信ミキサに接続しない方の前記第１の局部発振手段または前記第２の局部発振手段を受信手段に含まれる高周波受信ミキサに接続する局部発振接続手段と、
を備え、
前記送信手段は、前記高周波送信ミキサがアップコンバートした送信高周波信号の上側波帯または下側波帯を選択的にアンテナに出力し、
前記受信手段は、前記アンテナから受信した受信高周波信号を前記高周波受信ミキサでダウンコンバートして前記送信手段が選択していない側の前記上側波帯または前記下側波帯を選択的に出力する
ことを特徴とする無線通信装置。
【請求項２】
側波帯選択手段を備え、
前記側波帯選択手段は、
前記送信高周波信号として使用する前記第１の周波数帯域の上側波帯または下側波帯の信号を通過させる第１のバンドパスフィルタと、
前記送信高周波信号として使用する前記第２の周波数帯域の、前記第１のバンドパスフィルタに対応する側波帯と反対側の側波帯である上側波帯または下側波帯の信号を通過させる第２のバンドパスフィルタと、
前記受信高周波信号として使用する前記第２の周波数帯域の、前記第２のバンドパスフィルタに対応する側波帯である上側波帯または下側波帯の信号を通過させる第３のバンドパスフィルタと、
前記受信高周波信号として使用する前記第１の周波数帯域の、前記第１のバンドパスフィルタに対応する側波帯である上側波帯または下側波帯の信号を通過させる第４のバンドパスフィルタと、
前記高周波送信ミキサと前記第１のバンドパスフィルタまたは前記第２のバンドパスフィルタを接続して前記送信高周波信号を前記アンテナに出力し、前記高周波受信ミキサと前記第３のバンドパスフィルタまたは前記第４のバンドパスフィルタを接続して前記アンテナから受信した前記受信高周波信号を前記高周波受信ミキサに出力するフィルタ接続スイッチ
を含むことを特徴とする請求項１に記載の無線通信装置。
【請求項３】
前記送信手段は、
互いに直交する中間周波数信号をそれぞれアップコンバートする２つの高周波送信ミキサと、
２つの前記高周波送信ミキサのそれぞれに供給する局部発振信号の互いに直交する信号の供給先を、出力する前記上側波帯または前記下側波帯に応じて切替接続する送信側移相スイッチ
を含み、
前記受信手段は、
前記受信高周波信号の前記上側波帯および前記下側波帯をそれぞれダウンコンバートする２つの高周波受信ミキサと、
２つの前記高周波受信ミキサのそれぞれに供給する局部発振信号の互いに直交する信号の供給先を、出力する前記上側波帯または前記下側波帯に応じて切替接続する受信側移相スイッチ
を含むことを特徴とする請求項１に記載の無線通信装置。
【請求項４】
前記第１の局部発振手段と前記第２の局部発振手段は、
第３の局部発振信号を発信する局部発振器と、前記第３の局部発振信号を入力して前記第１の局部発振信号を出力する第１の周波数逓倍手段と、前記第３の局部発振信号を入力して前記第２の局部発振信号を出力する第２の周波数逓倍手段と
を含むことを特徴とする請求項１ないし請求項３のいずれかの請求項に記載の無線通信装置。
【請求項５】
周波数分割複信方式でポイント・ツー・ポイントにより全二重通信を行う無線通信方法であって、
第１の周波数帯域に対応する第１の局部発振信号または第２の周波数帯域に対応する第２の局部発振信号を高周波送信ミキサに接続し、
前記高周波送信ミキサに接続しない方の前記第１の局部発振信号または前記第２の局部発振信号を高周波受信ミキサに接続し、
前記高周波送信ミキサがアップコンバートした送信高周波信号の上側波帯または下側波帯を選択的にアンテナに出力し、
前記アンテナから受信した受信高周波信号を前記高周波受信ミキサでダウンコンバートして前記送信高周波信号で選択されていない側の前記上側波帯または前記下側波帯を選択的に出力する
ことを特徴とする無線通信方法。
【請求項６】
前記前記高周波送信ミキサがアップコンバートした送信高周波信号の上側波帯または下側波帯を選択的にアンテナに出力するステップは、
前記高周波送信ミキサと、前記送信高周波信号として使用する前記第１の周波数帯域の上側波帯または下側波帯の信号を通過させる第１のバンドパスフィルタまたは前記送信高周波信号として使用する前記第２の周波数帯域の、前記第１のバンドパスフィルタに対応する側波帯と反対側の側波帯である上側波帯または下側波帯の信号を通過させる第２のバンドパスフィルタを接続して、前記送信高周波信号を前記アンテナに出力し、
前記アンテナから受信した受信高周波信号を前記高周波受信ミキサでダウンコンバートして前記送信高周波信号で選択されていない側の前記上側波帯または前記下側波帯を選択的に出力するステップは、
前記高周波受信ミキサと、前記受信高周波信号として使用する前記第２の周波数帯域の、前記第２のバンドパスフィルタに対応する側波帯である上側波帯または下側波帯の信号を通過させる第３のバンドパスフィルタまたは前記受信高周波信号として使用する前記第１の周波数帯域の、前記第１のバンドパスフィルタに対応する側波帯である上側波帯または下側波帯の信号を通過させる第４のバンドパスフィルタを接続して、前記アンテナから受信した前記受信高周波信号を前記高周波受信ミキサに出力する
ことを特徴とする請求項５に記載の無線通信方法。
【請求項７】
前記前記高周波送信ミキサがアップコンバートした送信高周波信号の上側波帯または下側波帯を選択的にアンテナに出力するステップは、
互いに直交する中間周波数信号をそれぞれアップコンバートする２つの高周波送信ミキサのそれぞれに供給する、互いに直交する局部発振信号の供給先を、出力する前記上側波帯または前記下側波帯に応じて切り替えて接続し、
前記アンテナから受信した受信高周波信号を前記高周波受信ミキサでダウンコンバートして前記送信高周波信号で選択されていない側の前記上側波帯または前記下側波帯を選択的に出力するステップは、
前記受信高周波信号の前記上側波帯および前記下側波帯をそれぞれダウンコンバートする２つの高周波受信ミキサのそれぞれに供給する、互いに直交する局部発振信号の供給先を、出力する前記上側波帯または前記下側波帯に応じて切り替えて接続する
ことを特徴とする請求項５に記載の無線通信方法。
【発明の詳細な説明】
【技術分野】
【０００１】
本発明は、周波数分割複信方式で無線通信を行う無線通信装置および無線通信方法に関する。
【背景技術】
【０００２】
ＦＤＤ（Frequency Division Duplex：周波数分割複信）は通信路として使われる周波数帯を半分に分けて、送信と受信とに別々の周波数を割り当てることで同時に送受信が可能な全二重通信を行う技術である。このＦＤＤは、３Ｇ（3rd Generation）、ＨＳＰＡ（High Speed Packet Access）やＬＴＥ（Long Term Evolution）等の無線通信規格に採用されている。また、近年の急速な通信データの容量増大に伴い、光ファイバ等で構成される基幹通信網に無線基地局をＰ２Ｐ（Point-to-Point：ポイント・ツー・ポイント）で接続して、大容量で通信を行う装置が開発されている。
【０００３】
非特許文献１は、ＦＤＤ方式でＰ２ＰによりＥバンド（７０／８０ＧＨｚ）での無線通信を行う２セットの送受信機を開示している。非特許文献１が開示する送受信機は、２つのＰＬＯ（Phase Locked Oscillator）に３６．７５ＧＨｚと４１．７５ＧＨｚを用い、ＯＯＫ（On-Off Keying）による変調方式を採用した。そして、出力Ｐｏｗｅｒが５ｄＢｍで利得２０ｄＢのホーンアンテナを使用して屋内環境で１０ｍの全二重通信ができたことを報告している。
【０００４】
また、指向性アンテナを介し、分離した伝送路および受信周波数上で部分的伝送時間間隔を用いて通信を行うためのポイントツーポイント・リンクに関する技術が特許文献１に開示されている。特許文献１の通信リンクは、指向性アンテナを用いて２つの通信システムを接続する。２つのリンク方向は時分割に多重化されており、通信は２つの異なる周波数上で伝送される。そのため、各通信システムは、いつでも送信または受信をするが、同時に送信および受信することはない。
【０００５】
特許文献２には、低コストでかつ小型・軽量化を実現することが可能なＦＤＤ・ＴＤＭＡ（Time Division Multiple Access）通信方式のデュアルバンド対応通信装置が開示されている。この通信装置は、2つのＩＦ（中間周波数信号）発振器を備え、IF帯でのミキサに供給する局部発振信号の周波数を複数用意し、使用する周波数帯域に応じて切り替える構成となっている。そして、この通信装置は、受信用中間周波数を２つの受信バンドの差の半分程度に設定し、高周波可変周波数発振器およびＩＦ発振器の周波数を適正な周波数に設定し、ＩＦ発振器の周波数を使用帯域に合わせて切り替えることを行っている。（例えば、第１２頁、第２１〜２８行目の記載、第２４頁、第４〜２１行目の記載参照。）
【先行技術文献】
【非特許文献】
【０００６】
【非特許文献１】M.Kang, B.Kim, K.Kim, W.Byun, M.Song, S.Oh, “Wireless PtP System in E-band for Gigabit Ethernet（登録商標）,” proceeding of ICACT, pp.733-736, Feb. 2010.
【特許文献】
【０００７】
【特許文献１】特開２００８−０２９０１０号公報
【特許文献２】再特ＷＯ１９９９０００９１０号公報
【発明の概要】
【発明が解決しようとする課題】
【０００８】
上述した各先行技術文献に記載の技術を用いた無線通信装置は、以下に述べるような課題が残されている。
【０００９】
ＦＤＤ方式を採用している全二重通信方式においては、２台の無線通信装置間の送信回線および受信回線が干渉することなく存在しなければならないので、２台の無線通信装置間で異なる周波数帯域により送信及び受信する。一般に、無線通信装置をＦＤＤ方式によりＰ２Ｐで全二重通信する場合、送受信の周波数帯域割り当てが装置ごとに異なってくる。
【００１０】
例えば、通信する一方の無線通信装置に対して第１の周波数帯域が送信に、第２の周波数帯域が受信にそれぞれ割り当てられているとすると、もう一方の通信相手先の無線通信装置は第１の周波数帯域が受信に、第２の周波数帯域が送信にそれぞれ割り当てられることになる。
【００１１】
図１２は、このようなＦＤＤ方式によりＰ２Ｐで全二重通信する一般的な無線通信装置の構成を示すブロック図である。ＦＤＤ方式によりＰ２Ｐで全二重通信する双方の無線通信装置のそれぞれは、２つの送受信装置１００、２００を備える。それぞれの送受信装置は異なる周波数帯域で使用され、例えば、送受信装置１００は第１の周波数帯域で使用され、送受信装置２００は第２の周波数帯域で使用される。つまり、通信する双方の無線通信装置のそれぞれに、第１の周波数帯域に対応した送信回路１０１、第１の周波数帯域に対応した受信回路１０２、第２の周波数帯域に対応した送信回路２０１、第２の周波数帯域に対応した受信回路２０２の計４種類の回路を必要とする。
【００１２】
例えば、片方の無線通信装置では、第１の周波数帯域が送信に、第２の周波数帯域が受信にそれぞれ割り当てられているとすると、送受信装置１００の送信回路１０１と送受信装置２００の受信回路２０２が相手の無線通信装置との通信で使用される。そして、もう一方の通信相手先の無線通信装置では、第１の周波数帯域が受信に、第２の周波数帯域が送信にそれぞれ割り当てられ、送受信装置１００の受信回路１０２と送受信装置２００の送信回路２０１が通信で使用される。
【００１３】
このように、無線通信装置のそれぞれが２つの送受信装置を備えるそのため、装置が大型化し、装置の製造コストが増大するという問題がある。非特許文献１や特許文献１には、この課題については言及されていない。
【００１４】
特許文献２は、デュアルバンドのそれぞれの通信システムごとに異なる中間周波数を持たなければならないという課題に対して、IF帯でのミキサに供給する局部発振信号の周波数を複数用意し、使用する周波数帯域に応じて切り替えている。しかし、特許文献２に記載の方法によると、受信ミキサにおいてダウンコンバートした際に他通信の送信信号がイメージ信号として干渉する虞がある。
【００１５】
そこで、本発明の目的は、ＦＤＤ方式でＰ２Ｐにより全二重通信を行う回路規模を小さくした無線通信装置を提供することにある。
【課題を解決するための手段】
【００１６】
上記の目的を実現するために、本発明の一形態である無線通信装置は、周波数分割複信方式でポイント・ツー・ポイントにより全二重通信を行う無線通信装置であって、第１の周波数帯域に対応する第１の局部発振信号を出力する第１の局部発振手段と、第２の周波数帯域に対応する第２の局部発振信号を出力する第２の局部発振手段と、前記第１の局部発振手段または前記第２の局部発振手段を送信手段に含まれる高周波送信ミキサに接続し、前記高周波送信ミキサに接続しない方の前記第１の局部発振手段または前記第２の局部発振手段を受信手段に含まれる高周波受信ミキサに接続する局部発振接続手段と、を含み、前記送信手段は、前記高周波送信ミキサがアップコンバートした送信高周波信号の上側波帯または下側波帯を選択的にアンテナに出力し、前記受信手段は、前記アンテナから受信した受信高周波信号を前記高周波受信ミキサでダウンコンバートして前記送信手段が選択していない側の前記上側波帯または前記下側波帯を選択的に出力することを特徴とする。
【００１７】
また、本発明の他の形態である無線通信方法は、周波数分割複信方式でポイント・ツー・ポイントにより全二重通信を行う無線通信方法であって、第１の周波数帯域に対応する第１の局部発振信号または第２の周波数帯域に対応する第２の局部発振信号を高周波送信ミキサに接続し、前記高周波送信ミキサに接続しない方の前記第１の局部発振信号または前記第２の局部発振信号を高周波受信ミキサに接続し、前記高周波送信ミキサがアップコンバートした送信高周波信号の上側波帯または下側波帯を選択的にアンテナに出力し、
前記アンテナから受信した受信高周波信号を前記高周波受信ミキサでダウンコンバートして前記送信高周波信号で選択されていない側の前記上側波帯または前記下側波帯を選択的に出力することを特徴とする。
【発明の効果】
【００１８】
本発明は、ＦＤＤ方式でＰ２Ｐにより全二重通信を行う無線通信装置の回路規模を小さくすることができる。
【図面の簡単な説明】
【００１９】
【図１】本発明の第１の実施形態にかかる無線通信装置の構成を示すブロック図である。
【図２】第１の実施形態にかかる無線通信方法の動作を示すフロー図である。
【図３】第２の実施形態にかかる無線通信装置の構成を示すブロック図である。
【図４】本発明の実施形態の無線通信装置における信号周波数帯域の割当て例を示す図である。
【図５】側波帯選択部の構成例を示すブロック図である。
【図６】第３の実施形態にかかる無線通信装置の構成を示すブロック図である。
【図７】第３の実施形態の送信回路の構成例と側波帯選択機能の動作例を示すブロック図である。
【図８】送信側移相スイッチの接続と選択される側波帯の関連を示す図である。
【図９】第３の実施形態の受信回路の構成例と側波帯選択機能の動作例を示すブロック図である。
【図１０】受信側移相スイッチの接続と選択される側波帯の関連を示す図である。
【図１１】本発明の第４の実施形態にかかる無線通信装置の構成を示すブロック図である。
【図１２】ＦＤＤ方式によりＰ２Ｐで全二重通信する一般的な無線通信装置の構成を示すブロック図である。
【発明を実施するための形態】
【００２０】
次に、本発明の実施の形態について図面を参照して詳細に説明する。
【００２１】
図１は、本発明の第１の実施形態にかかる無線通信装置の構成を示すブロック図である。
【００２２】
第１の実施形態の無線通信装置１は、ＦＤＤ方式でＰ２Ｐにより全二重通信を行う無線通信装置であって、第１の局部発振手段１１、第２の局部発振手段１２、局部発振接続手段２０、送信手段３１および受信手段３２を含む構成になっている。
【００２３】
第１の局部発振手段１１は、第１の周波数帯域に対応する第１の局部発振信号を出力する。第２の局部発振手段１２は、第２の周波数帯域に対応する第２の局部発振信号を出力する。
【００２４】
局部発振接続手段２０は、これらの第１の局部発振手段１１と第２の局部発振手段１２を、送信手段３１に含まれる高周波送信ミキサ３１１と受信手段３２に含まれる高周波受信ミキサ３２１にそれぞれ接続する。高周波送信ミキサ３１１には、第１の局部発振手段１１と第２の局部発振手段１２のいずれかが接続され、高周波受信ミキサ３２１には、高周波送信ミキサ３１１に接続されない方の第１の局部発振手段１１または第２の局部発振手段１２が接続される。例えば、局部発振接続手段２０は、高周波送信ミキサ３１１に第１の局部発振手段１１を接続した場合は、高周波受信ミキサ３２１に第２の局部発振手段１２を接続する。
【００２５】
送信手段３１は、高周波送信ミキサ３１１がアップコンバートした送信高周波信号の上側波帯または下側波帯を選択的にアンテナ５０に出力する。また、受信手段３２は、アンテナ５０から受信した受信高周波信号を高周波受信ミキサ３２１でダウンコンバートして送信手段３１が選択していない側の上側波帯または下側波帯を選択的に出力する。
【００２６】
図２は、第１の実施形態にかかる無線通信方法の動作を示すフロー図である。
【００２７】
まず、通信に使用する周波数帯域の送受信での割り当て方法に応じて、２種類の局部発振信号のそれぞれの供給先を任意に接続する。つまり、第１の周波数帯域に対応する第１の局部発振信号または第２の周波数帯域に対応する第２の局部発振信号を高周波送信ミキサに接続する（Ｓ１０１）。そして、高周波送信ミキサに接続しない方の第１の局部発振信号または第２の局部発振信号を高周波受信ミキサに接続する（Ｓ１０２）。
【００２８】
次に、通信に使用する周波数帯域の割り当てに応じて、送信信号と受信信号のそれぞれで使用する側波帯を選択する。つまり、高周波送信ミキサがアップコンバートした送信高周波信号の上側波帯または下側波帯を選択的にアンテナに出力する（Ｓ１０３）。一方、アンテナから受信した受信高周波信号を高周波受信ミキサでダウンコンバートして送信高周波信号で選択されていない側の上側波帯または下側波帯を選択的に出力する（Ｓ１０４）。
【００２９】
このように、第１の実施形態の無線通信装置１は高周波信号処理回路の構成において特徴を有する。そして、通信に使用する周波数帯域の送受信での割り当て方法に応じて、２種類の局部発振信号のそれぞれの供給先を任意に接続することができる局部発振接続手段を備えている。また、通信に使用する周波数帯域の割り当てに応じて、送信手段と受信手段は、送信信号と受信信号のそれぞれで使用する側波帯を選択して出力する。これにより、送信回路と受信回路をそれぞれ１つ含む送受信装置が１セットの無線通信装置であっても、ＦＤＤ方式でＰ２Ｐにより全二重通信を行うことができ、無線通信装置の回路規模を小さくすることができる。
【００３０】
次に、第２の実施形態の無線通信装置を説明する。
【００３１】
図３は、第２の実施形態にかかる無線通信装置の構成を示すブロック図である。
【００３２】
第２の実施形態の無線通信装置２は、高周波信号処理回路の構成として、第１の局部発振器１３、第２の局部発振器１４、局部発振器接続スイッチ２１、送信回路３３、受信回路３４、側波帯選択部４０、アンテナ５０を含む。更に、中間周波数信号処理回路６０、Ｄ／Ａ（Digital/Analog）変換部７１、Ａ／Ｄ（Analog/Digital）変換部７２およびベースバンド信号処理回路８０を含む。また、無線通信装置２の信号周波数変換方式としては、スーパーヘテロダイン方式を前提としている。
【００３３】
送信回路３３の出力端及び受信回路３４の入力端は、それぞれカプラを介してアンテナ５０に接続されている。なお、送信回路３３においては、高周波送信ミキサ３３１の出力が側波帯選択部４０を介して出力される。そして、受信回路３４においては、アンテナ５０からの入力が側波帯選択部４０を介して高周波受信ミキサ３４１に入力する。側波帯選択部４０は、送信信号として使用される信号の周波数帯の上側波帯または下側波帯、および受信信号として使用される信号の周波数帯の上側波帯または下側波帯をそれぞれ通過させるバンドパスフィルタを含む。そして、当該無線通信装置に割り当てられた周波数帯、側波帯に応じて任意に接続を切り替えることができる。
【００３４】
第２の実施形態の無線通信装置２は、このような構成によりＰ２Ｐの通信相手の無線通信装置とＦＤＤ方式による全二重通信を行う。
【００３５】
ベースバンド信号処理回路８０から出力された送信信号は、Ｄ／Ａ変換部７１でアナログ信号に変換されて中間周波数信号処理回路６０を介して送信回路３３に供給される。
【００３６】
送信回路３３の高周波送信ミキサ３３１は、中間周波数信号処理回路６０から供給される送信用中間周波数信号（周波数ｆif_tx）と送信用局部発振信号（周波数ｆlo_tx）をミキシングしてアップコンバートすることにより送信高周波信号（周波数ｆrf_tx）を生成する。アップコンバートされた送信高周波信号は側波帯選択部４０に供給される。
【００３７】
側波帯選択部４０は送信高周波信号の上側波帯または下側波帯を選択的に通過させるバンドパスフィルタを含む。従って、側波帯選択部４０を通過した側の側波帯の送信高周波信号がアンテナ５０を介して送信される。
【００３８】
同様に、アンテナ５０から受信した受信高周波信号（周波数ｆrf_rx）は、側波帯選択部４０に入力する。側波帯選択部４０は受信高周波信号の上側波帯または下側波帯を選択的に通過させるバンドパスフィルタを含む。従って、側波帯選択部４０を通過した側の側波帯の受信高周波信号が受信回路３４の高周波受信ミキサ３４１に入力する。なお、側波帯選択部４０は、カプラを介してはいるが、送信回路３３が出力する送信高周波信号が高周波受信ミキサ３４１に回り込まないようにカットするという役割も持つ。
【００３９】
高周波受信ミキサ３４１は、側波帯選択部４０を介して供給される受信高周波信号と受信用局部発振信号（周波数ｆlo_rx）をミキシングしてダウンコンバートすることにより受信用中間周波数信号（周波数ｆif_rx）を生成する。ダウンコンバートされた受信用中間周波数信号は中間周波数信号処理回路６０に供給される。
【００４０】
中間周波数信号処理回路６０で処理された受信信号はＡ／Ｄ変換部７２でデジタル信号に変換されてベースバンド信号処理回路８０に入力する。
【００４１】
また、第１の局部発振器１３からは第１の周波数帯域に対応する周波数ｆlo1の局部発振信号が発生し、第２の局部発振器１４からは第２の周波数帯域に対応する周波数ｆlo2の局部発振信号が発生する。そして、局部発振器接続スイッチ２１は、第１の局部発振器１３または第２の局部発振器１４を、高周波送信ミキサ３３１または高周波受信ミキサ３４１に接続する。図３では、第１の局部発振器１３を高周波受信ミキサ３４１に接続し、第２の局部発振器１４を高周波送信ミキサ３３１に接続する例を示している。従って、この場合、送信用局部発振信号（周波数ｆlo_tx）は周波数ｆlo2となり、受信用局部発振信号（周波数ｆlo_rx）は周波数ｆlo1となる。
【００４２】
図４は、本発明の実施形態の無線通信装置における信号周波数帯域の割当て例を示す図である。
【００４３】
上述したように、ＦＤＤ方式においては第１の周波数帯域と第２の周波数帯域の２種類の周波数帯域を通信に使用する。そして、どちらか一方の周波数帯域を送信用に、もう一方の周波数帯域を受信用として使用する。なお、Ｐ２Ｐで通信する相手側の無線通信装置においては、送信用と受信用の周波数帯域割り当てが逆になる。
【００４４】
図４の（ａ）はＰ２Ｐで通信する片方の無線通信装置（例えば無線通信装置Ａ）における送信用と受信用の周波数帯域割り当てを示し、（ｂ）は相手側の無線通信装置（例えば無線通信装置Ｂ）における送信用と受信用の周波数帯域割り当てを示す。
【００４５】
無線通信装置Ａでは、送信用（周波数ｆrf_tx）として第１の周波数帯域の上側波帯を使用し、受信用（周波数ｆrf_rx）として第２の周波数帯域の下側波帯を使用するように割り当てられている。
【００４６】
また、無線通信装置Ｂでは、送信用（周波数ｆrf_tx）として第２の周波数帯域の下側波帯を使用し、受信用（周波数ｆrf_rx）として第１の周波数帯域の上側波帯を使用するように割り当てられている。
【００４７】
従って、無線通信装置Ａでは、第１の局部発振器１３から生成される周波数ｆlo1の局部発振信号が、局部発振器接続スイッチ２１により送信用局部発振信号（周波数ｆlo_tx）として送信回路３３の高周波送信ミキサ３３１に供給されている。そして、側波帯選択部４０においては、第１の周波数帯域の上側波帯の信号を通過させるバンドパスフィルタが送信用として選択される。また、第２の局部発振器１４から生成される周波数ｆlo2の局部発振信号が、局部発振器接続スイッチ２１により受信用局部発振信号（周波数ｆlo_rx）として受信回路３４の高周波受信ミキサ３４１に供給されている。そして、側波帯選択部４０においては、第２の周波数帯域の下側波帯の信号を通過させるバンドパスフィルタが受信用として選択される。
【００４８】
一方、無線通信装置Ｂでは、第２の局部発振器１４から生成される周波数ｆlo2の局部発振信号が、局部発振器接続スイッチ２１により送信用局部発振信号（周波数ｆlo_tx）として送信回路３３の高周波送信ミキサ３３１に供給されている。そして、側波帯選択部４０においては、第２の周波数帯域の下側波帯の信号を通過させるバンドパスフィルタが送信用として選択される。また、第１の局部発振器１３から生成される周波数ｆlo1の局部発振信号が、局部発振器接続スイッチ２１により受信用局部発振信号（周波数ｆlo_rx）として受信回路３４の高周波受信ミキサ３４１に供給されている。そして、側波帯選択部４０においては、第１の周波数帯域の上側波帯の信号を通過させるバンドパスフィルタが受信用として選択される。
【００４９】
このように設定された無線通信装置Ａと無線通信装置Ｂは、次のようにしてＦＤＤ方式によるＰ２Ｐ通信を行う。
【００５０】
無線通信装置Ａからは、第１の周波数帯域の上側波帯の高周波信号（周波数ｆrf_tx）が送信される。この信号は無線通信装置Ｂにおいて第１の周波数帯域の上側波帯の高周波信号（周波数ｆrf_rx）として受信される。また、無線通信装置Ｂからは、第２の周波数帯域の下側波帯の高周波信号（周波数ｆrf_tx）が送信される。この信号は無線通信装置Ａにおいて第２の周波数帯域の下側波帯の高周波信号（周波数ｆrf_rx）として受信される。
【００５１】
なお、側波帯選択部４０は、例えば図５のように構成されていてもよい。
【００５２】
図５は側波帯選択部４０の構成例を示すブロック図である。第１の周波数帯域の各側波帯に対応するバンドパスフィルタＡとバンドパスフィルタＢおよび第２の周波数帯域の各側波帯に対応するバンドパスフィルタＣとバンドパスフィルタＤの４種類のバンドパスフィルタ、およびフィルタ接続スイッチ４０１を備える。
【００５３】
つまり、バンドパスフィルタＡは、例えば無線通信装置Ａが送信高周波信号として使用する第１の周波数帯域の上側波帯または下側波帯の信号を通過させる第１のバンドパスフィルタである。
【００５４】
バンドパスフィルタＣは、無線通信装置Ａの通信相手である無線通信装置Ｂが送信高周波信号として使用する、第２の周波数帯域の上側波帯または下側波帯の信号を通過させる第２のバンドパスフィルタである。これは、第１のバンドパスフィルタに対応する側波帯と反対側の側波帯である上側波帯または下側波帯の信号を通過させるバンドパスフィルタである。つまり、第１のバンドパスフィルタが上側波帯の信号を通過させる場合、第２のバンドパスフィルタは下側波帯の信号を通過させる。逆に、第１のバンドパスフィルタが下側波帯の信号を通過させるように使用する場合、第２のバンドパスフィルタは上側波帯の信号を通過させるものを使用する。もちろん、それぞれが対応する周波数帯域は、第１の周波数帯域と第２の周波数帯域と異なった周波数帯域である。
【００５５】
バンドパスフィルタＤは、無線通信装置Ａが受信高周波信号として使用する、第１の周波数帯域の上側波帯または下側波帯の信号を通過させる第３のバンドパスフィルタである。これは、第２のバンドパスフィルタに対応する側波帯である上側波帯または下側波帯の信号を通過させるバンドパスフィルタである。つまり、無線通信装置Ｂにおける第２のバンドパスフィルタが下側波帯の信号を通過させる場合、無線通信装置Ａにおける第３のバンドパスフィルタも下側波帯の信号を通過させる。逆に、無線通信装置Ｂにおける第２のバンドパスフィルタが上側波帯の信号を通過させるように使用する場合、無線通信装置Ａにおける第３のバンドパスフィルタも上側波帯の信号を通過させるものを使用する。そして、それぞれが対応する周波数帯域は同じ第２の周波数帯域である。
【００５６】
バンドパスフィルタＢは、無線通信装置Ｂが受信高周波信号として使用する、第１の周波数帯域の上側波帯または下側波帯の信号を通過させる第４のバンドパスフィルタである。これは、第１のバンドパスフィルタに対応する側波帯である上側波帯または下側波帯の信号を通過させるバンドパスフィルタである。つまり、無線通信装置Ａにおける第１のバンドパスフィルタが下側波帯の信号を通過させる場合、無線通信装置Ｂにおける第４のバンドパスフィルタも下側波帯の信号を通過させる。逆に、無線通信装置Ａにおける第１のバンドパスフィルタが上側波帯の信号を通過させるように使用する場合、無線通信装置Ｂにおける第４のバンドパスフィルタも上側波帯の信号を通過させるものを使用する。そして、それぞれが対応する周波数帯域は同じ第１の周波数帯域である。
【００５７】
フィルタ接続スイッチ４０１は、当該無線通信装置に割り当てられた信号周波数帯域に応じて、これらの４種類のバンドパスフィルタを適宜接続して側波帯選択部４０を構成する。
【００５８】
図５のフィルタ接続スイッチ４０１における点線の接続は、上述した無線通信装置Ａの場合の接続例を示す。つまり、送信側は第１の周波数帯域の、例えば上側波帯の信号を通過させるバンドパスフィルタＡを使い、受信側は第２の周波数帯域の下側波帯の信号を通過させるバンドパスフィルタＤを使う構成を形成する。
【００５９】
そして、図５のフィルタ接続スイッチ４０１における実線の接続は、上述した無線通信装置Ｂの場合の接続例を示す。つまり、送信側は第２の周波数帯域の上側波帯の信号を通過させるバンドパスフィルタＣを使い、受信側は第１の周波数帯域の下側波帯の信号を通過させるバンドパスフィルタＢを使う構成を形成する。
【００６０】
このように、ＦＤＤ方式でＰ２Ｐによる全二重通信を行う１組の無線通信装置Ａと無線通信装置Ｂにおいて、周波数帯域の割り当てと第１のバンドパスフィルタに対応する側波帯を決めておけば、４種類のバンドパスフィルタを設置するだけでよい。
【００６１】
また、図４において、例えば、第１の周波数帯域の下側波帯が第１の周波数帯域に含まれるとして示したが、送信高周波信号の帯域と送信用局部発振信号の条件によっては、下側波帯の部分が割り当てられた第１の周波数帯域から外れる場合もある。そのような場合には当該条件における第１の周波数帯域の下側波帯に対応するバンドパスフィルタを省略することができる。
【００６２】
このように、第２の実施形態の無線通信装置２は、その無線通信装置で使用する周波数帯域の送受信での割り当てに応じて、局部発振器接続スイッチにより２種類の局部発振信号のそれぞれの供給先を任意に接続することができる。また、通信に使用する周波数帯域の割り当てに応じて、フィルタ接続スイッチにより送信信号と受信信号のそれぞれで使用する側波帯を任意に選択して用いることができる。これにより、送信回路と受信回路をそれぞれ１つ含む送受信装置が１セットの無線通信装置であっても、ＦＤＤ方式でＰ２Ｐにより全二重通信を行うことができ、無線通信装置の回路規模を小さくすることができる。
【００６３】
続いて、第３の実施形態の無線通信装置を説明する。
【００６４】
図６は、第３の実施形態にかかる無線通信装置の構成を示すブロック図である。
【００６５】
第３の実施形態の無線通信装置３が第２の実施形態の無線通信装置２と相違する点は、送信回路及び受信回路においてイメージ抑圧ミキサを用いて側波帯を選択することである。そして、送信回路及び受信回路のそれぞれにおいて、各回路の２つのミキサに供給する局部発振信号に適用する９０度移相を移相スイッチで切り替えることにより、上側波帯または下側波帯を任意に選択できるように構成している。
【００６６】
図６において、第３の実施形態の無線通信装置３は、送信回路３６および受信回路３７を主要な構成とする。第１の局部発振器１３、第２の局部発振器１４、局部発振器接続スイッチ２１およびアンテナ５０は第２の実施形態の無線通信装置２と同じである。なお、中間周波数信号処理回路、Ｄ／Ａ変換部、Ａ／Ｄ変換部およびベースバンド信号処理回路の構成についても第２の実施形態の無線通信装置２と同じなので図示を省略する。
【００６７】
無線通信装置３は、当該無線通信装置に割り当てられた周波数帯域に応じて、送信回路３６または受信回路３７で使用する局部発振信号として、第１の局部発振器１３または第２の局部発振器１４を局部発振器接続スイッチ２１により適宜接続して使用する。また、送信側で使用する側波帯、受信側で使用する側波帯に応じて、それぞれの局部発振信号に適用する９０度移相を、送信側の移相スイッチおよび受信側の移相スイッチにおいて適宜接続して上側波帯または下側波帯を選択する。
【００６８】
図７〜図１０を参照して、側波帯選択機能の動作例を説明する。
【００６９】
図７は、第３の実施形態の送信回路３６の構成例と側波帯選択機能の動作例を示すブロック図であり、イメージ抑圧ミキサによる送信回路が構成される。通常のイメージ抑圧ミキサの回路構成と相違する点は、送信側移相スイッチ３６５において、相互に位相を９０度ずらせた局部発振信号の供給先の高周波送信ミキサを任意に切り替えることができる構成になっていることである。
【００７０】
送信回路３６に入力する局部発振信号（ｆlo_tx）は、当該無線通信装置の送信側に割り当てられた周波数帯域に対応して局部発振器接続スイッチ２１（図６参照）により接続された第１の局部発振器１３または第２の局部発振器１４の発振信号となる。
【００７１】
送信回路３６に入力する局部発振信号は２分岐され、片方はそのまま送信側移相スイッチ３６５に入力し、他の片方は９０度移相器３６４で位相が９０度遅延させられた局部発振信号として送信側移相スイッチ３６５に入力する。そして、送信側移相スイッチ３６５において、相互に位相が９０度ずれた２つの局部発振信号の供給先の高周波送信ミキサを任意に切り替えることができる。
【００７２】
図８は、送信側移相スイッチ３６５における接続とそのときに選択される側波帯の関連を示す図である。
【００７３】
送信側移相スイッチ３６５が、例えば図８（ａ）に示すように設定されているとして説明する。つまり、９０度移相器３６４により位相が９０度遅延させられた局部発振信号は、送信回路３６の高周波送信ミキサ３６２に供給されているものとする。なお、９０度移相器を介すことにより位相が９０度遅れた信号が出力するので、例えば、ｃｏｓθの局部発振信号はｃｏｓ（θ―９０°）＝ｓｉｎθとなる。
【００７４】
送信回路３６に入力する中間周波数信号（fif_tx）を２分岐し、片方の信号に対して９０度移相器３６３を介すことによりＸa(t)信号とＸb(t)信号が生成される。Ｘb(t)信号が９０度移相器３６３を介した信号で、Ｘa(t)信号より位相が９０度遅れている。ここで中間周波数信号の振幅をＡif、角周波数をωif（＝２×π×ｆif）とすると、Ｘa(t)信号とＸb(t)信号はそれぞれ次のようになる。
【００７５】
Ｘa(t)＝Ａif・ｃｏｓ（ωif・ｔ）
Ｘb(t)＝Ａif・ｓｉｎ（ωif・ｔ）
それぞれの信号は高周波送信ミキサ３６１、高周波送信ミキサ３６２で局部発振信号（flo_tx）によりアップコンバートされる。ここで、高周波送信ミキサ３６１にはｃｏｓ（ωlo・ｔ）、高周波送信ミキサ３６２にはｓｉｎ（ωlo・ｔ）の局部発振信号が供給されている。そのため、アップコンバートされたあとの信号はそれぞれ次のようになる。
【００７６】
Ｘ’a(t)＝Ａif・ｃｏｓ（ωif・ｔ）×ｓｉｎ（ωlo・ｔ）＝（Ａif／２）{ｓｉｎ（ωlo＋ωif）ｔ＋ｓｉｎ（ωlo−ωif）ｔ}
Ｘ’b(t)＝Ａif・ｓｉｎ（ωif・ｔ）×ｃｏｓ（ωlo・ｔ）＝（Ａif／２）{ｓｉｎ（ωlo＋ωif）ｔ−ｓｉｎ（ωlo−ωif）ｔ}
従って、それぞれを加算した送信回路３６の出力信号となるＸc(t)は次のようになる。
【００７７】
Ｘc(t)＝Ｘ’a(t)＋Ｘ’b(t)＝Ａif・ｓｉｎ（ωlo＋ωif）t
つまり、送信側移相スイッチ３６５を図８（ａ）に示すように設定すると、送信回路３６からは上側波帯の信号が出力される。
【００７８】
送信側移相スイッチ３６５を図８（ｂ）に示すように設定すると、上記は次のようになる。
【００７９】
つまり、９０度移相器３６５により位相が９０度遅延させられた局部発振信号は、送信回路３６の高周波送信ミキサ３６１に供給される。また、入力信号のＸa(t)信号とＸb(t)信号はそれぞれ次のようになっている。
【００８０】
Ｘa(t)＝Ａif・ｃｏｓ（ωif・ｔ）
Ｘb(t)＝Ａif・ｓｉｎ（ωif・ｔ）
ここで、高周波送信ミキサ３６１にはｓｉｎ（ωlo・ｔ）、高周波送信ミキサ３６２にはｃｏｓ（ωlo・ｔ）の局部発振信号が供給されているので、アップコンバートされたあとの信号はそれぞれ次のようになる。
【００８１】
Ｘ’a(t)＝Ａif・ｃｏｓ（ωif・ｔ）×ｃｏｓ（ωlo・ｔ）＝（Ａif／２）{ｃｏｓ（ωlo＋ωif）ｔ＋ｃｏｓ（ωlo−ωif）ｔ}
Ｘ’b(t)＝Ａif・ｓｉｎ（ωif・ｔ）×ｓｉｎ（ωlo・ｔ）＝−（Ａif／２）{ｃｏｓ（ωlo＋ωif）ｔ−ｃｏｓ（ωlo−ωif）ｔ}
従って、それぞれを加算した送信回路３６の出力信号となるＸc(t)は次のようになる。
【００８２】
Ｘc(t)＝Ｘ’a(t)＋Ｘ’b(t)＝Ａif・ｃｏｓ（ωlo−ωif）t
つまり、送信側移相スイッチ３６５を図８（ｂ）に示すように設定すると、送信回路３６からは下側波帯の信号が出力される。
【００８３】
一方、受信回路側では次のように動作する。
【００８４】
図９は、第３の実施形態の受信回路３７の構成例と側波帯選択機能の動作例を示すブロック図であり、イメージ抑圧ミキサにより受信回路が構成される。通常のイメージ抑圧ミキサの回路構成と相違する点は、受信側移相スイッチ３７７において、相互に位相を９０度ずらせた局部発振信号の供給先の高周波受信ミキサを任意に切り替えることができる構成になっていることである。
【００８５】
受信回路３７に入力する局部発振信号（ｆlo_rx）は、当該無線通信装置の受信側に割り当てられた周波数帯域に対応して局部発振器接続スイッチ２１（図６参照）により接続された第１の局部発振器１３または第２の局部発振器１４の発振信号となる。
【００８６】
受信回路３７に入力する局部発振信号は２分岐され、片方はそのまま受信側移相スイッチ３７７に入力し、他の片方は９０度移相器３７６で位相が９０度遅延させられた局部発振信号として受信側移相スイッチ３７７に入力する。そして、受信側移相スイッチ３７７において、相互に位相が９０度ずれた２つの局部発振信号の供給先の高周波受信ミキサを任意に切り替えることができる。
【００８７】
図１０は、受信側移相スイッチ３７７における接続とそのときに選択される側波帯の関連を示す図である。
【００８８】
まず、受信側移相スイッチ３７７が、例えば図１０（ａ）に示すように設定されているとして説明する。つまり、９０度移相器３７６により位相が９０度遅延させられた局部発振信号は、受信回路３７の高周波受信ミキサ３７１に供給されているものとする。従って、高周波受信ミキサ３７１にはｓｉｎ（ωlo・ｔ）、高周波受信ミキサ３７２にはｃｏｓ（ωlo・ｔ）の局部発振信号が供給されている。そして、受信回路３７の入力には入力高周波信号として上側波帯＝Ａ’rf・ｃｏｓ（ω’rf・t）と下側波帯＝Ａrf・ｃｏｓ（ωrf・t）の双方の信号が入力されているとする。ここで、上側波帯の振幅をＡ’rf、角周波数をω’rf（２×π×ｆ’rf）とし、下側波帯の振幅をＡrf、角周波数をωrf（＝２×π×ｆrf）としている。
【００８９】
高周波受信ミキサ３７１の出力Ｘa(t)と高周波受信ミキサ３７２の出力Ｘb(t)はそれぞれ次のようになる。
【００９０】
Ｘa(t)＝｛Ａrf・ｃｏｓ（ωrf・t）＋Ａ’rf・ｃｏｓ（ω’rf・t）｝×ｓｉｎ（ωlo・t）
＝（Ａrf／２）｛ｓｉｎ（ωlo＋ωrf）t−ｓｉｎ（ωrf−ωlo）t｝＋（Ａ’rf／２）｛ｓｉｎ（ωlo＋ω’rf）t−ｓｉｎ（ω’rf−ωlo）t｝
Ｘb(t)＝｛Ａrf・ｃｏｓ（ωrf・t）＋Ａ’rf・ｃｏｓ（ω’rf・t）｝×ｃｏｓ（ωlo・t）
＝（Ａrf／２）｛ｃｏｓ（ωlo＋ωrf）t＋ｃｏｓ（ωrf−ωlo）t｝＋（Ａ’rf／２）｛ｃｏｓ（ωlo＋ω’rf）t＋ｃｏｓ（ω’rf−ωlo）t｝
後段のローパスフィルタ３７３およびローパスフィルタ３７４により、それぞれの高周波成分をカットすることにより、それぞれのローパスフィルタの出力Ｘ’a(t)とＸ’b(t)はそれぞれ次のようになる。
【００９１】
Ｘ’a(t)＝（Ａrf／２）ｓｉｎ（ωlo−ωrf）t−（Ａ’rf／２）ｓｉｎ（ω’rf−ωlo）t
Ｘ’b(t)＝（Ａrf／２）ｃｏｓ（ωlo−ωrf）t＋（Ａ’rf／２）ｃｏｓ（ω’rf−ωlo）t
ここで、ローパスフィルタ３７３の出力のＸ’a(t)に対して９０度移相器３７５により９０度移相を適用する。
【００９２】
９０度移相器３７５の出力Ｘ’’a(t)は次のようになる。
【００９３】
Ｘ’’a(t)＝−（Ａrf／２）ｃｏｓ（ωlo−ωrf）t＋（Ａ’rf／２）ｃｏｓ（ω’rf−ωlo）t
従って、受信回路３７の出力は、Ｘ’b(t)とＸ’’a(t)を加算して得られる次の信号Ｘc(t)となる。
【００９４】
Ｘc(t)＝Ｘ’’a(t)＋Ｘ’b(t)＝Ａ’rf・ｃｏｓ（ω’rf−ωlo）t
ゆえに、上側波帯の信号のみが受信ミキサによってダウンコンバートされることになる。
【００９５】
同様に、図１０（ｂ）に示す例は、位相が９０度遅延させられた局部発振信号が受信回路３７の高周波受信ミキサ３７２に供給されるように受信側移相スイッチ３７７が接続されている。この場合は、高周波受信ミキサ３７１にはｃｏｓ（ωlo・ｔ）、高周波受信ミキサ３７２にはｓｉｎ（ωlo・ｔ）の局部発振信号が供給される。そして、高周波受信ミキサ３７１の出力信号をＸa(t)、高周波受信ミキサ３７２の出力信号をＸb(t)とすると、各高周波受信ミキサの出力は次のようになる。
【００９６】
Ｘa(t)＝｛Ａrfｃｏｓ（ωrf・t）＋Ａ’rfｃｏｓ（ω’rf・t）｝×ｃｏｓ（ωlo・t）
＝（Ａrf／２）｛ｃｏｓ（ωrf＋ωlo）t＋ｃｏｓ（ωrf−ωlo）t｝＋（Ａ’rf／２）｛ｃｏｓ（ω’rf＋ωlo）t＋ｃｏｓ（ω’rf−ωlo）t｝
Ｘb(t)＝｛Ａrfｃｏｓ（ωrf・t）＋Ａ’rfｃｏｓ（ω’rf・t）｝×ｓｉｎ（ωlo・t）
＝（Ａrf／２）｛ｓｉｎ（ωrf＋ωlo）t−ｓｉｎ（ωrf−ωlo）t｝＋（Ａ’rf／２）｛ｓｉｎ（ω’rf＋ωlo）t−ｓｉｎ（ω’rf−ωlo）t｝
高周波成分をカットして、Ｘ’a(t)とＸ’b(t)は次のようになる。
【００９７】
Ｘ’a(t)＝（Ａrf／２）ｃｏｓ（ωlo−ωrf）t＋（Ａ’rf／２）ｃｏｓ（ω’rf−ωlo）ｔ
Ｘ’b(t)＝（Ａrf／２）ｓｉｎ（ωlo−ωrf）t−（Ａ’rf／２）ｓｉｎ（ω’rf−ωlo）t
９０度移相器３７５の出力Ｘ’’a(t)は次のようになる。
【００９８】
Ｘ’’a(t)＝（Ａrf／２）ｓｉｎ（ωlo−ωrf）t＋（Ａ’rf／２）ｓｉｎ（ω’rf−ωlo）t
受信回路３７の出力Ｘc(t)は次のようになる。
【００９９】
Ｘc(t)＝Ｘ’’a(t)＋Ｘ’b(t)＝Ａrf・ｓｉｎ（ωlo−ωrf）t
ゆえに、この場合は下側波帯の信号のみが受信ミキサによってダウンコンバートされることになる。
【０１００】
例えば、無線通信装置Ａの送信回路３６の送信側移相スイッチ３６５を図８（ａ）のように接続し、受信回路３７の受信側移相スイッチ３７７を図１０（ｂ）のように接続する。そして、無線通信装置Ａの対向装置となる無線通信装置Ｂの送信回路３６の送信側移相スイッチ３６５を図８（ｂ）のように接続し、受信回路３７の受信側移相スイッチ３７７を図１０（ａ）のように接続する。なお、無線通信装置Ａにおいて第１の周波数帯域に対応する第１の局部発振信号を送信に、第２の周波数帯域に対応する第２の局部発振信号を受信に用いるものとする。また、無線通信装置Ｂにおいては、第２の周波数帯域に対応する第２の局部発振信号を送信に、第１の周波数帯域に対応する第１の局部発振信号を受信に用いるものとする。このように設定された第３の実施形態の無線通信装置３は、無線通信装置Ａにおいて、第１の周波数帯域の上側波帯が送信に、第２の周波数帯域の下側波帯が受信に使われる。そして、無線通信装置Ｂにおいて、第２の周波数帯域の下側波帯が送信に、第１の周波数帯域の上側波帯が受信に使われる。
【０１０１】
このように、第３の実施形態の無線通信装置３は、その無線通信装置で使用する周波数帯域の送受信での割り当てに応じて、局部発振器接続スイッチにより２種類の局部発振信号のそれぞれの供給先を任意に接続することができる。また、第３の実施形態の無線通信装置３はイメージ抑圧ミキサに供給する相互に位相を９０度ずらせた局部発振信号の供給先を移相スイッチで任意に切り替えることにより、送信信号と受信信号のそれぞれで使用する側波帯を任意に選択して用いることができる。これにより、送信回路と受信回路をそれぞれ１つ含む送受信装置が１セットの無線通信装置であっても、ＦＤＤ方式でＰ２Ｐにより全二重通信を行うことができ、無線通信装置の回路規模を小さくすることができる。
【０１０２】
続いて、第４の実施形態の無線通信装置を説明する。
【０１０３】
図１１は、第４の実施形態にかかる無線通信装置の構成を示すブロック図である。
【０１０４】
第４の実施形態の無線通信装置４は、第１の実施形態乃至第３の実施形態の無線通信装置における２つの局部発振回路に換えて１つの局部発振器１０と２つの周波数逓倍器（周波数逓倍器９１および周波数逓倍器９２）で構成される。
【０１０５】
周波数逓倍器９１は、局部発振器１０が発振する信号（周波数ｆlo3）にもとづいて第１の周波数帯域に対応する局部発振信号（周波数ｆlo1）を生成する。周波数逓倍器９２は、局部発振器１０が発振する信号（周波数ｆlo3）にもとづいて第２の周波数帯域に対応する局部発振信号（周波数ｆlo2）を生成する。それぞれの周波数逓倍器９１、９２から出力された局部発振信号（ｆlo1とｆlo2）は局部発振接続手段２０に入力する。
【０１０６】
このように、第４の実施形態の無線通信装置４は、局部発振信号の発振器が１つで済むため、無線通信装置の回路規模を更に小さくすることができる。
【０１０７】
以上に説明したように、本実施形態の無線通信装置は、当該無線通信装置の送信と受信で使用する２種類の周波数帯域を、割り当てられた周波数帯域に応じて局部発振接続手段や局部発振器接続スイッチにより任意に設定することができる。また、本実施形態の無線通信装置は、当該無線通信装置の送信と受信で使用する下側波帯または上側波帯を、その割当状況に応じて側波帯選択部、フィルタ接続スイッチまたは移相スイッチを用いて任意に設定することができる。そのため、送信回路と受信回路をそれぞれ１つ含む１セットの送受信装置で、ＦＤＤ方式によりＰ２Ｐで全二重通信する無線通信装置に対応することができる。また、２つの周波数逓倍器により、１つの発振器から２種類の周波数帯域に対応する局部発振信号を生成することができる。したがって、本実施形態の無線通信装置は、ＦＤＤ方式によりＰ２Ｐで全二重通信する環境下において、Ｐ２Ｐ通信する双方の無線通信装置の回路構成を共通化して製造することができ、回路規模を小さくした小型の装置を実現することができる。
【０１０８】
なお、局部発振接続手段や局部発振器接続スイッチ、そして側波帯選択部、フィルタ接続スイッチおよび移相スイッチのそれぞれは、当該無線通信装置および通信相手先となる無線通信装置において、割り当てられた周波数帯域に応じて予め設定する。その設定は、製造時に行ってもよいし、通信運用を行う際に設定してもよい。
【符号の説明】
【０１０９】
１、２、３、４    無線通信装置
１０    局部発振器
１１    第１の局部発振手段
１２    第２の局部発振手段
１３    第１の局部発振器
１４    第２の局部発振器
２０    局部発振接続手段
２１    局部発振器接続スイッチ
３１    送信手段
３２    受信手段
３３、３６、１０１、２０１    送信回路
３４、３７、１０２、２０２    受信回路
４０    側波帯選択部
５０    アンテナ
６０    中間周波数信号処理回路
７１    Ｄ／Ａ変換部
７２    Ａ／Ｄ変換部
８０    ベースバンド信号処理回路
９１、９２    周波数逓倍器
１００、２００    送受信装置
３１１、３３１、３６１、３６２    高周波送信ミキサ
３２１、３４１、３７１、３７２    高周波受信ミキサ
３６３、３６４、３７５、３７６    ９０度移相器
３６５    送信側移相スイッチ
３７３、３７４    ローパスフィルタ
３７７    受信側移相スイッチ
４０１    フィルタ接続スイッチ
【図１】
2013165335.tif 000003
【図２】
2013165335.tif 000004
【図３】
2013165335.tif 000005
【図４】
2013165335.tif 000006
【図５】
2013165335.tif 000007
【図６】
2013165335.tif 000008
【図７】
2013165335.tif 000009
【図８】
2013165335.tif 000010
【図９】
2013165335.tif 000011
【図１０】
2013165335.tif 000012
【図１１】
2013165335.tif 000013
【図１２】
2013165335.tif 000014